(57)【要約】【課題】光学アクセサリを被写体側からレンズ装置に取付ける場合、光学アクセサリの最終ガラス面とレンズ装置の最前ガラス面との間の内部空間が密閉空間となるため、光学アクセサリの着脱時に空気流通がなく、着脱の作業性が悪いという課題がある。【解決手段】光学アクセサリに内部空間と外部とを連通させる連通部を設け、光学アクセサリ着脱時に空気流通を確保して着脱性の向上を図る。その際、光学アクセサリの内径側に設けられた、光学アクセサリ固定用の円弧状の係止部材（既知）を利用して連通部を通じて外部から異物の侵入経路を長く確保することで内部空間への異物の混入の可能性を低める。【選択図】図１
2020020828.tif 000002
【特許請求の範囲】
【請求項１】
被写体側に光学アクセサリを取付け可能なレンズ装置で、且つ該光学アクセサリ上に設けられた固定つまみを光軸中心方向にねじ込んで該光学アクセサリの内周部に設けられた円弧状の係止部材を該レンズ装置の外周部に押し当てて該光学アクセサリの回転方向及び光軸方向の位置を固定するレンズ装置において、
該光学アクセサリの最も該レンズ装置側の光学部材と該レンズ装置の最も該光学アクセサリ側の光学部材との間の内部空間と、該レンズ装置及び該光学アクセサリの外部空間とを連通させる連通部を有することを特徴とするレンズ装置。
【請求項２】
前記連通部にはろ過手段を設けたことを特徴とする請求項１に記載のレンズ装置。
【請求項３】
被写体側又は撮像面側に光学アクセサリを取付け可能で、且つ該光学アクセサリの回転方向及び光軸方向の位置を固定するための固定部材を有するレンズ装置において、
該光学アクセサリを該レンズ装置に取付けた時に、該光学アクセサリの最も該レンズ装置側の光学部材と該レンズ装置の最も該光学アクセサリ側の光学部材との間の内部空間と、該レンズ装置及び該光学アクセサリの外部空間とを連通させる連通部を有し、更に該連通部による連通状態の有効と無効とを切替える連通状態切替え手段を有することを特徴とするレンズ装置。
【請求項４】
前記連通状態切替え手段は、前記固定部材による前記光学アクセサリの固定が有効である時は前記連通状態が無効であり、前記光学アクセサリの固定が無効である時は前記連通状態が有効であることを特徴とする請求項３に記載のレンズ装置。
【請求項５】
前記連通部による前記連通状態の無効／有効の切替えは、前記固定部材の一部を用いることを特徴とする請求項４に記載のレンズ装置。
【請求項６】
前記固定部材は、被写体側から前記レンズ装置に取付ける前記光学アクセサリの外周面に光軸中心に向かって設けられたネジ部と、該ネジ部に螺合して、先端部を該光学アクセサリの内周側に突き当てることで該光学アクセサリを固定するものであることを特徴とする請求項３乃至請求項５の何れか一項に記載のレンズ装置。
【請求項７】
前記固定部材は、撮像面側から前記レンズ装置に取付ける前記光学アクセサリ及び前記レンズ装置各々に設けられたバヨネット取付け構造であることを特徴とする請求項３乃至請求項５の何れか一項に記載のレンズ装置。
【請求項８】
前記連通状態切替え手段は、被写体側から前記レンズ装置に取付ける前記光学アクセサリと前記レンズ装置の回転方向の位置関係を変更することであることを特徴とする請求項３に記載のレンズ装置。
【発明の詳細な説明】
【技術分野】
【０００１】
本発明は、レンズ装置に関し、特に光学アクセサリの着脱の構造に関する。
【背景技術】
【０００２】
従来、レンズ装置の前玉部に光学アクセサリを取り付けた場合、特許文献１の図１（ｂ）に示すように、光学アクセサリの最終ガラスとレンズ装置の先頭ガラスとの間は密閉状態となることが知られている。
【先行技術文献】
【特許文献】
【０００３】
【特許文献１】特許第５４５５５８６号公報
【発明の概要】
【発明が解決しようとする課題】
【０００４】
光学アクセサリは所望の撮影効果を得るために種々用意されており、場合によっては撮影状況に応じて頻繁に着脱を行わなければならない。
【０００５】
しかし前述した通り、光学アクセサリとレンズ装置との間は密閉状態になっていることから、内部空気の抵抗によって着脱性が低下し、光学アクセサリを迅速にかつスムーズに着脱することが困難であるという課題があった。
【０００６】
そこで、本発明の目的は、内部空気の抵抗による影響を廃し、光学アクセサリを迅速に且つスムーズに着脱することの可能なレンズ装置を提供することにある。
【課題を解決するための手段】
【０００７】
上記の目的を達成するために、本発明に係るレンズ装置は、
被写体側に光学アクセサリを取付け可能なレンズ装置で、且つ該光学アクセサリ上に設けられた固定つまみを光軸中心方向にねじ込んで該光学アクセサリの内周部に設けられた円弧状の係止部材を該レンズ装置の外周部に押し当てて該光学アクセサリの回転方向及び光軸方向の位置を固定するレンズ装置において、該光学アクセサリの最も該レンズ装置側の光学部材と該レンズ装置の最も該光学アクセサリ側の光学部材との間の内部空間と、該レンズ装置及び該光学アクセサリの外部空間とを連通させる連通部を有するレンズ装置であることを特徴とする。
【発明の効果】
【０００８】
本発明によれば、内部空気の抵抗に影響されることなく、光学アクセサリを迅速に且つスムーズに着脱するレンズ装置を提供することが可能となる。
【図面の簡単な説明】
【０００９】
【図１】本発明の第１の実施例の要部詳細図
【図２】本発明の第２の実施例の要部詳細図
【図３】図２別形態例
【図４】図２、図３の別形態例
【図５】本発明の第２の実施例の変形例
【図６】図５の別形態例
【図７】本発明の第３の実施例の要部詳細図
【図８】図７の別形態例
【発明を実施するための形態】
【００１０】
以下に、本発明の好ましい実施の形態を、添付の図面に基づいて詳細に説明する。
【実施例１】
【００１１】
以下、図１を参照して、本発明の第１の実施例について説明する。図１は本実施例におけるレンズ装置と光学アクセサリの詳細説明図である。
【００１２】
レンズ装置１の外周面には被写体側から光学アクセサリ２が取り付いている。ここで光学アクセサリ２の内径側には、特許文献１と同様に円弧状の係止部材３の一端が光学アクセサリ鏡筒４に固定され、係止部材３の背面には押圧のためのロックネジ５が設けられている。ロックネジ５をねじ込むと、係止部材３はレンズ装置１の外径に設けられた溝１ａに係合し、光学アクセサリ２の固定が行われる。
【００１３】
また光学アクセサリ鏡筒４には内部空間と外部空間を連通させる連通部４ａ、４ｂが設けられている。よって、光学アクセサリ２の最も撮像面側の光学部材６とレンズ装置１の最も被写体側の光学部材７と間の内部空間Ｓ１は連通部４ａ、４ｂによって外部と連通している状態となっている。そのため光学アクセサリ２の着脱の際に内部空間Ｓ１が密閉状態になっていないため、着脱性に優れた光学アクセサリを提供することが可能となる。
【００１４】
なお連通部４ａと４ｂは、お互いの位置関係が光軸８を中心として回転方向に離れていた方が外部から内部空間Ｓ１へのゴミの侵入に関して有利である。例えば両者の関係が１８０°で、連通部４ｂが真下位置にあった場合、外部から侵入した異物は係止部材３を伝って真上位置に設けられた連通部４ａに達しない限り内部空間Ｓ１へ侵入することはなく、異物侵入の可能性が格段に低くなることとなる。
【００１５】
また連通部４ａ、４ｂに空気は通し、水分は通さないフィルタを貼付することで外部との連通機能を保ちながら水やほこりの侵入を防止することが可能となり、より確実に外部からの異物侵入を防止することが可能となる。
【実施例２】
【００１６】
以下、図２〜図４を参照して、本発明の第２の実施例について説明する。
【００１７】
図２はレンズ装置９に光学アクセサリ１０を嵌め込んだ直後で、光学アクセサリ１０が未固定の状態を示したものである。実施例１と同様、光学アクセサリ鏡筒１１には連通部１１ａ、１１ｂが設けられており、内部空間Ｓ２は外部と連通している状態となっている。このため、光学アクセサリ１０のレンズ装置９への着脱性は良好な状態である。ロックネジ１２の光学アクセサリ鏡筒１１側の座面１２ａには弾性体１３が設けられている。
【００１８】
図３は図２の状態からロックネジ１２をねじ込んだ状態である。ここでロックネジ１２の先端部１２ｂがレンズ装置９の外径９ａに突き当たる前に弾性体１３が光学アクセサリ鏡筒１１の外径１１ｃに突き当たる関係となっており、その結果確実に弾性体１３によって連通部１１ｂをふさぐこととなる。図４は更にロックネジ１２を締め込んで弾性体１３を締め込み力で弾性変形させて先端部１２ｂを外径９ａに突き当てて、最終的に光学アクセサリ１０をレンズ装置９に固定した状態を示している。
【００１９】
撮影者が光学アクセサリ１０を使用する際は、必ずロックネジ１２を締め込んで先端部１２ｂを突き当てた図４の状態となる。そのため、光学アクセサリ１０の使用時には撮影者が特に意識しなくても常に連通部１１ｂがふさがれることとなり、内部空間Ｓ２への異物の侵入を確実に防止することができる。
【００２０】
なおロックネジ１２の長さを厳密に管理して、座面１２ａによる連通部１１ｂのふさぎと先端部１２ｂによる外径９ａへの突き当てを同時に達成するよう構成すれば弾性体１３の構成は廃止することが可能である。
【００２１】
図５〜図６に、本実施例の変形例を示す。
【００２２】
図５はレンズ装置１４の撮像面側に光学アクセサリ１５を取り付けた状態である。レンズ装置１４の後端にはマウント１６が設けられており、既知のバヨネット取付け方式で光学アクセサリ１５がバヨネットリング１７を介して取り付いている。ここで光学アクセサリ鏡筒１８には連通穴１８ａ、バヨネットリング１７の内径部には連通溝１７ａが設けられており、光学アクセサリ１５の着脱時は連通穴１８ａと連通溝１７ａとが連通する位置関係となっている。これにより内部空間Ｓ３は外部と連通した状態となり、光学アクセサリ１５のレンズ装置１４への着脱性は良好な状態である。
【００２３】
光学アクセサリ１５をレンズ装置１４に固定する時は、図６に示す通りバヨネットリング１７を回転させてネジ部１７ｂによるネジ送りの働きによってマウント１６にバヨネットリングのツバの内側１７ｃを突き当てて光学アクセサリ１５を固定する。この時、連通溝１７ａ（図５参照）の角度位置が変更されるため連通穴１８ａとの位置関係が変更されることで連通状態が途切れ、内部空間Ｓ３と外部とは不連通状態となる。このため、前述の例と同様に光学アクセサリ１５の使用時には撮影者が特に意識することなく常に連通穴１８ａがふさがれることとなり、内部空間Ｓ３への異物の侵入を確実に防止することができる。
【実施例３】
【００２４】
以下、図７〜図８を参照して、本発明の第３の実施例について説明する。
【００２５】
図７は図２と同様にレンズ装置１９に光学アクセサリ２０を嵌め込んだ直後で、光学アクセサリ２０を未固定の状態を示したものである。レンズ鏡筒２１の外周部には光軸方向に連通溝２１ａが設けられており、光学アクセサリ鏡筒２２の後端部には連通溝２２ａが設けられている。このため内部空間Ｓ４は外部と連通している状態となっており、光学アクセサリ２０のレンズ装置１９への着脱性は良好である。ここで連通溝２２ａは光軸方向に貫通した溝ではなく、レンズ鏡筒の外周部に嵌まり込むための光学アクセサリ鏡筒２２の内径部２２ｂが全周連続するよう設けられている。
【００２６】
光学アクセサリ２０をレンズ装置１９に嵌め込む時はレンズ装置１９側の連通溝２１ａと光学アクセサリ２０側の連通溝２２ａの角度位置を合わせながら光学アクセサリ２０をレンズ装置１９に嵌め込む。その後、撮影者が光学アクセサリ２０を光軸２３まわりに適宜回転させて所望の位置でロックネジ１２をねじ込んで光学アクセサリ２０の固定を行う（図８）。この時、連通溝２２ａは前述の通り光軸方向に不貫通の溝であることから、光学アクセサリ２０を回転させて連通溝２１ａとの位置関係を変更されることで連通状態が途切れ、内部空間Ｓ４と外部とは不連通状態となる。よって内部空間Ｓ４への異物の混入を防止することが可能である。また光学アクセサリを取り外す際は前述とは逆の手順で、光学アクセサリ２０を光軸２３まわりに回転させて連通溝２１ａと連通溝２２ａの角度位相を合わせて（図７の状態）内部空間Ｓ４と外部とを連通させた状態で取り外す。
【００２７】
この構造は実施例２と比較して現行品への追加工で対応することが可能であり、新たな部品製作を必要としないという利点がある。また実施例１と比較して、確実に外部からの異物の侵入を防止できるという利点がある。
【００２８】
以上、本発明の好ましい実施形態について説明したが、本発明はこれらの実施形態に限定されず、その要旨の範囲内で種々の変形及び変更が可能である。
【符号の説明】
【００２９】
１  レンズ装置、１ａ  溝部、２  光学アクセサリ、３  係止部材、
４  光学アクセサリ鏡筒、４ａ  連通部、４ｂ  連通部、５  ロックネジ、
６  光学部材、７  光学部材、８  光軸、Ｓ１  内部空間
【図１】
2020020828.tif 000003
【図２】
2020020828.tif 000004
【図３】
2020020828.tif 000005
【図４】
2020020828.tif 000006
【図５】
2020020828.tif 000007
【図６】
2020020828.tif 000008
【図７】
2020020828.tif 000009
【図８】
2020020828.tif 000010